(57)【特許請求の範囲】
【請求項１】
パネルの一端に設けられた吸気口と、他端に設けられた排気口と、
送風手段と、
該パネル内空間における表面側及び裏面側のいずれか一方に沿うように設けられた第１送風路と、他方に沿うように設けられた第２送風路と、
これら第１送風路と第２送風路との間に設けられ、調湿材を保持するとともに、前記第１送風路を送風される空気を通過させて前記第２送風路に導出する調湿材保持層と、
前記吸気口と前記第１送風路とを連通させ、前記吸気口からの空気を前記第１送風路に導入する導入口を有しパネルの一端に設けられた一端側外郭部と、
前記第２送風路と前記排気口とを連通させ、前記第２送風路を送風される空気を前記排気口に向けて導出する導出口を有しパネルの他端に設けられた他端側外郭部と、
を備えていることを特徴とする調湿パネル。
【請求項２】
請求項１において、
前記第１送風路が上流側から下流側に向けて狭まるよう、前記調湿材保持層の厚さ寸法を上流側から下流側に向けて大きくしたことを特徴とする調湿パネル。
【請求項３】
請求項１において、
前記第１送風路を上流側から下流側に向けて段階的に狭める邪魔板を、前記第１送風路の送風方向に沿って間隔を空けて設けたことを特徴とする調湿パネル。
【請求項４】
請求項１乃至３のいずれか１項において、
前記調湿材保持層に保持された前記調湿材を粉粒体状のものとし、その粒径を、上流側から下流側に向けて小さくしたことを特徴とする調湿パネル。
【請求項５】
請求項１乃至４のいずれか１項において、
前記調湿材保持層は、前記両送風路の送風方向に多段に区画された多数の収容セルを備え、この収容セルに前記調湿材を収容していることを特徴とする調湿パネル。
【発明の詳細な説明】
【技術分野】
【０００１】
本発明は、建物の室内空間の空気を調湿する調湿パネルに関する。
【背景技術】
【０００２】
近時の住居等の建物においては、高断熱化及び高気密化の傾向が進み、それらに起因する結露やカビ、ダニの発生が問題となり、建物内の湿度調節が重要な課題となっている。
そこで、従来から建物の内装建材などに使用される調湿機能を有した調湿パネルが提案されている。
例えば、下記特許文献１では、仕切板で仕切った仕切の中に炭等を詰め、その表裏面に通気性のある被覆シートを貼着したパネルが提案されている。
一方、下記特許文献２では、建築物の通気内壁材と、壁面断熱部材の内面との間に、通気層を設け、この通気層に吸着剤を内蔵等させた壁構造が提案されている。このものでは、屋根裏部の壁面に排気用ファンを付設し、この排気用ファンによって、基礎または室内に設けた開口部を介して外気または室内空気を通気層に通気させるとともに、屋根裏を通過させて外部に排気する構成とされている。
【先行技術文献】
【特許文献】
【０００３】
【特許文献１】特開平１０−８６３３号公報（図１参照）
【特許文献２】特開２００１−１４０３６８号公報（図１参照）
【発明の概要】
【発明が解決しようとする課題】
【０００４】
上記特許文献１に記載されたような従来の調湿パネルでは、室内空間の空気の自然対流を利用して吸放湿する構成であり、効率的かつ積極的に室内空間の空気を調湿することは困難であった。
また、上記特許文献２に記載されたものでは、排気用ファン等を利用して通気層に積極的に空気を取り込む構成とされているが、建築物の構造全体に関わるもので、建築物の構造全体が複雑化するという問題があった。
【０００５】
本発明は、上記実情に鑑みなされたものであり、室内空間の空気を効率的に調湿し得る調湿パネルを提供することを目的としている。
【課題を解決するための手段】
【０００６】
前記目的を達成するために、本発明に係る調湿パネルは、パネルの一端に設けられた吸気口と、他端に設けられた排気口と、送風手段と、該パネル内空間における表面側及び裏面側のいずれか一方に沿うように設けられた第１送風路と、他方に沿うように設けられた第２送風路と、これら第１送風路と第２送風路との間に設けられ、調湿材を保持するとともに、前記第１送風路を送風される空気を通過させて前記第２送風路に導出する調湿材保持層と、前記吸気口と前記第１送風路とを連通させ、前記吸気口からの空気を前記第１送風路に導入する導入口を有しパネルの一端に設けられた一端側外郭部と、前記第２送風路と前記排気口とを連通させ、前記第２送風路を送風される空気を前記排気口に向けて導出する導出口を有しパネルの他端に設けられた他端側外郭部と、を備えていることを特徴とする。
【０００７】
このような構成とすることで、吸気口から取り入れられた室内の空気は、第１送風路に導入され、調湿材保持層において調湿（除湿または加湿）されて、第２送風路に導出され、この第２送風路を送風されて排気口から室内に向けて排出される。従って、当該調湿パネルを室内の適所に間仕切り等として設置したり、内装建材として使用したりすることで、室内の空気を循環させ、攪拌させながら、その空気を効率的に調湿することができる。
また、吸気口から第１送風路に導入された空気は、調湿材保持層を通過して、第２送風路に導出されるので、例えば、パネル内空間の表面側及び裏面側のいずれか一方にのみ送風路を設け、他方に調湿材保持層を設けたような場合と比べて、空気を調湿材に効率的に接触させることができ、吸放湿性を効率的に向上させることができる。また、調湿材保持層の表面側及び裏面側に送風路を設けているので、当該調湿パネルの表裏において温度差があるような場合にも、パネル内空間における結露の発生を防止することができる。
【０００８】
本発明においては、前記第１送風路が上流側から下流側に向けて狭まるよう、前記調湿材保持層の厚さ寸法を上流側から下流側に向けて大きくするようにしてもよい。
このような構成とすれば、下流側で狭まる送風路自体で大きな圧力損失が生じるとともに、下流側で厚さ寸法の大きい調湿材保持層通過時にも大きな圧力損失が生じ、下流側の圧力損失が飛躍的に大きくなる。この結果、吸気口から第１送風路内に導入された空気は、第１送風路を送風される際に、下流側で偏って調湿材保持層を通過するようなことが低減され、適度に分散されて調湿材保持層を通過する。つまり、調湿材保持層における第１送風路の送風方向に沿う各部を通過する風量の均一化を図ることができ、室内の空気をより効率的に調湿することができる。
【０００９】
また、本発明においては、前記第１送風路を上流側から下流側に向けて段階的に狭める邪魔板を、前記第１送風路の送風方向に沿って間隔を空けて設けるようにしてもよい。
このような構成とすれば、邪魔板により、下流側における圧力損失が飛躍的に大きくなるとともに、当該邪魔板が、第１送風路を送風される空気の一部の気流方向を調湿材保持層側に変更する気流分散手段としても機能する。この結果、上記同様、吸気口から第１送風路内に導入された空気は、適度に分散されて調湿材保持層を通過し、室内の空気をより効率的に調湿することができる。
【００１０】
また、本発明においては、前記調湿材保持層に保持された前記調湿材を粉粒体状のものとし、その粒径を、上流側から下流側に向けて小さくするようにしてもよい。
このような構成とすれば、下流側では、圧力損失が飛躍的に大きくなり、上記同様、吸気口から第１送風路内に導入された空気は、適度に分散されて調湿材保持層を通過し、室内の空気をより効率的に調湿することができる。
【００１１】
また、本発明においては、前記調湿材保持層を、前記両送風路の送風方向に多段に区画された多数の収容セルを備えたものとし、この収容セルに前記調湿材を収容するようにしてもよい。
このような構成とすれば、調湿材を調湿材保持層に効率的に充填できる。
また、当該調湿パネルを、吸気口及び排気口が上下に位置するように設置する縦型パネルに適用した場合には、両送風路の送風方向に多段に区画された多数の収容セルに収容されているので、調湿材の自重による偏りを低減することができる。
【発明の効果】
【００１２】
本発明に係る調湿パネルは、上述のような構成としたことで、室内空間の空気を効率的に調湿することができる。
【図面の簡単な説明】
【００１３】
【図１】本発明に係る調湿パネルの一実施形態を模式的に示す概略縦断面図である。
【図２】本発明に係る調湿パネルの他の実施形態を模式的に示す概略縦断面図である。
【図３】本発明に係る調湿パネルの更に他の実施形態を模式的に示す概略縦断面図である。
【図４】本発明に係る調湿パネルの更に他の実施形態を模式的に示す概略縦断面図である。
【発明を実施するための形態】
【００１４】
以下、本発明の実施の形態について、図面に基づいて説明する。
図１は、第１実施形態に係る調湿パネル１を示しており、この調湿パネル１は、一端に設けられた吸気口２と、他端に設けられた排気口３とを備えている。
本実施形態では、調湿パネル１を、吸気口２を下端側に、排気口３を上端側にして、壁面や室内空間に鉛直に立てて設置される縦型の壁パネルや間仕切りパネルに適用した例を示している。
【００１５】
この調湿パネル１の大きさは、設置箇所等に応じて、適宜、設定可能であるが、本実施形態のように、壁パネルや間仕切りパネルとして設置される縦型パネルとした場合は、長さ（高さ）が１５００ｍｍ〜２０００ｍｍ程度、幅が２００ｍｍ〜５００ｍｍ程度、厚さが３０ｍｍ〜６０ｍｍ程度とされた縦長で扁平矩形状のものとしてもよい。本実施形態では、当該調湿パネル１の大きさを、長さ（高さ）が１８００ｍｍ程度、幅が３００ｍｍ程度、厚さが４５ｍｍ程度としている。
この調湿パネル１は、上下に長い中間部を構成するパネル本体９、並びにこのパネル本体９の上下にそれぞれ接続された上側外郭部３０及び下側外郭部２０からなる。
【００１６】
パネル本体９は、パネル表面側の前板部９ａ、パネル裏面側の背板部９ｂ、及びこれらの左右をそれぞれ連結する一対の側板部９ｃ，９ｃ（図では、一方のみを示している）により構成された中空の四角筒状体とされている。
これら前板部９ａ、背板部９ｂ、及び一対の側板部９ｃ，９ｃからなるパネル本体９は、鋼板等により一体的に形成するようにしてもよく、適宜の板材を接合してパネル本体９を構成するようにしてもよい。
また、このパネル本体９の外周面の室内空間に露出する部位（壁パネルであれば、前板部９ａの表面など）には、化粧シートや壁紙、突板等の表面化粧材を貼着するようにしてもよい。
【００１７】
このパネル本体９の内方空間における裏面側には、背板部９ｂに沿うように第１送風路を構成する裏面側送風路５が設けられ、また、パネル本体９の内方空間における表面側には、前板部９ａに沿うように第２送風路を構成する表面側送風路６が設けられている。
また、これら裏面側送風路５と、表面側送風路６との間には、パネル本体９の内方空間の上下方向及び幅方向の全体に亘って板状の調湿材保持層１０が設けられている。
つまり、パネル本体９の内方空間は、その厚さ方向略中層部に設けられた調湿材保持層１０によって分断され、その表層側空間が表面側送風路６を構成し、裏層側空間が裏面側送風路５を構成している。
これら表面側送風路６、調湿材保持層１０及び裏面側送風路５の厚さ寸法（当該調湿パネル１の厚さ方向に沿う厚さ寸法）の比率は、１：２：１〜１：３：１程度としてもよい。
【００１８】
調湿材保持層１０は、当該調湿パネル１の厚さ方向両側に開口し、パネル本体９の上下方向（両送風路５，６の送風方向と同方向）及び幅方向に、それぞれ多段に区画された多数の中空筒状の収容セル１１の集合体からなるコア材を芯材としており、その外周の上部、下部、及び両側部がパネル本体９の天板部や底板部、両側板部９ｃ，９ｃ等に固定されている。
この収容セル１１には、吸放湿性を有した調湿材１２が充填されている。
また、この収容セル１１を形成するコア材の表面側及び裏面側には、通気性及び透湿性を有した膜状保持部材１３，１３がそれぞれ貼り付けられている。
【００１９】
収容セル１１を形成するコア材としては、段ボール原紙やクラフト紙質等の紙材を接着剤で重積接着して形成するようにしてもよい。また、このような紙材に、エポキシ樹脂等の補強用の樹脂を更に含浸させたものとしてもよい。その他、アルミ材等の金属系材料や硬質ポリ塩化ビニル樹脂、ポリプロピレン樹脂等の合成樹脂系材料から製されたものとしてもよい。
【００２０】
また、収容セル１１のセル形状は、蜂の巣状のハニカム形状、方形状、菱形状、ＪＩＳ  Ａ６９３１に規定されているような円筒形状や、リブを平行に連続させたリブ形状、「く」字状のような折り紙形状を連続させた折り紙形状等としてもよい。
また、収容セル１１のセルサイズ（セルの幅）は、１０ｍｍ程度〜３０ｍｍ程度としてもよい。本実施形態では、厚さが０．３ｍｍ程度の通気性の少ない、または、通気性のない板紙（難通気性材料）により、セルサイズが２０ｍｍ程度とされたハニカム形状の収容セル１１としている。
【００２１】
収容セル１１に充填される調湿材１２としては、粉粒体状のもので、木炭、竹炭などの炭類、タルク、ゼオライト、珪藻土、シリカゲル（好ましくはＢ形）、モンモリロナイト、セピオライトなどの粘土鉱物、アルミナ、シリカなどの無機物等が挙げられる。或いは、可逆的な吸湿機能、放湿機能を有する高分子吸放湿材としてもよい。本実施形態では、調湿材１２としてシリカゲルを採用している。
この調湿材１２の粒径は、調湿性及び通気性の観点から１．０ｍｍ程度〜６．０ｍｍ程度としてもよい。この調湿材１２の粒径が小さくなるほど、単位体積当たりに収容、充填される調湿材の表面積が大きくなり調湿性は向上するが、調湿材間の隙間が小さくなり通気性が阻害される傾向がある一方、粒径が大きくなるほど、通気性は向上するが調湿性が阻害される傾向がある。本実施形態では、平均粒径が２．０ｍｍ程度の調湿材１２を採用している。
尚、上記各種の調湿材１２は、二種以上を組み合わせて使用してもよい。また、粉粒体状の調湿材に限られず、薄片状や短繊維片状のものとしてもよい。
【００２２】
上記コア材の表面側及び裏面側に貼り付けられた膜状保持部材１３，１３は、通気性及び透湿性を有した布状部材や紙材としてもよい。または、合成樹脂系材料や金属系材料を、通気孔を形成するようにメッシュ状に加工した網状部材、若しくは多数の通気孔を形成したシート部材としてもよい。
布状部材としては、繊維を平織したクロスシートや種々の織態様により編み込み形成されたものとしてもよく、或いは不織布としてもよい。
このような膜状保持部材１３は、上記した調湿材１２の粒径に応じて、調湿材１２を通過させずに保持し得る構成とすればよい。
【００２３】
上記構成とされた調湿材保持層１０は、例えば、上記コア材の一方面側に、一方の膜状保持部材１３を貼り付けた後、該コア材の他方面側から各収容セル１１に調湿材１２を充填し、その他方面側に、他方の膜状保持部材１３を貼り付けて、板状に形成するようにしてもよい。本実施形態では、調湿材保持層１０の長さ（高さ）を１７００ｍｍ程度、幅を２９０ｍｍ程度、厚さを２５ｍｍ程度とし、全体で６．０ｋｇ程度の調湿材１２を、各収容セル１１に比較的、密に充填している。
このような多数の収容セル１１を有したものとすることで、調湿材保持層１０に調湿材１２を効率的に充填できる。特に、本実施形態のように、当該調湿パネル１を、吸気口２及び排気口３が上下に位置するように設置される縦型のパネルとして適用する場合には、調湿材１２の自重による上下方向の偏りを低減できる。
【００２４】
各収容セル１１への調湿材１２の充填率は、本実施形態のように密に充填するようにしてもよく、各収容セル１１において１０％〜５０％程度の空隙が形成されるように充填するようにしてもよい。このように、各収容セルに空隙が形成されるように充填するものとすれば、当該調湿材保持層を通過する空気の圧力損失を低減することができ、調湿材保持層の通気性を向上させることができる。
【００２５】
パネル本体９の下方側に接続された下側外郭部２０は、送風手段を構成するクロスフローファン４を収容するケーシング状とされ、その表面側には、複数のスリット状の吸気口２を形成する複数本の格子部材２１が設けられている。
このクロスフローファン４のＯＮ／ＯＦＦ操作や風量調整等をするための操作部は、上記したパネル本体９の前板部９ａの適所等に設けるようにしてもよい。また、吸気口２の裏面側には、塵埃等を捕捉するフィルタ等を配設するようにしてもよい。
この下側外郭部２０の天板部の裏面側寄りには、吸気口２と、パネル本体９の裏面側送風路５とを連通させ、吸気口２からの空気を裏面側送風路５に導入する導入口７が設けられている。
【００２６】
パネル本体９の上方側に接続された上側外郭部３０は、その表面側に排気口３を有している。この排気口３には、複数の羽板状のルーバー３１が設けられている。
この上側外郭部３０の底板部の表面側寄りには、パネル本体９の表面側送風路６と、排気口３とを連通させ、表面側送風路６を送風される空気を上側外郭部３０の内方空間を介して排気口３に向けて導出する導出口８が設けられている。
この上側外郭部３０の内方空間に、クロスフローファン４や、その操作部と電気的に接続された制御部を配設するようにしてもよい。また、これらクロスフローファン４、制御部及び操作部等への給電は、適宜部位の裏面側に引出した図示しない電源コード等を介してなされるようにしてもよい。また、導出口８から排気口３に向けて送風される空気の気流方向を変更するガイド部材を設けるようにしてもよい。
【００２７】
上記のように構成された調湿パネル１では、操作部をしてクロスフローファン４を起動させれば、吸気口２から室内の空気が取り込まれる。
この取り込まれた空気は、導入口７を介して裏面側送風路５に導入され、裏面側送風路５を上方に向けて送風されながら、調湿材保持層１０の各収容セル１１を通過し、調湿されて、表面側送風路６に導出される。表面側送風路６に導出された空気は、導出口８に向けて送風され、導出口８を介して、排気口３から室内空間に向けて排出される。
【００２８】
以上のように、本実施形態に係る調湿パネル１によれば、室内の空気を循環させ、攪拌させながら、その空気を効率的に調湿することができる。特に、本実施形態のように、吸気口２を下端側に、排気口３を上端側にして、壁面や室内空間に鉛直に立てて設置するようにすれば、室内の床面付近に位置される下側の吸気口２から吸気した空気を、室内の天井付近に位置される上側の排気口３から排出させることができるので、室内の空気をより効率的に循環させ、攪拌することができ、その空気をより効率的に調湿することができる。
【００２９】
また、吸気口２から裏面側送風路５に導入された空気は、調湿材保持層１０を通過して、表面側送風路６に導出されるので、例えば、パネル内空間の表面側及び裏面側のいずれか一方にのみ送風路を設け、他方に調湿材保持層を設けたような場合と比べて、空気を調湿材１２に効率的に接触させることができ、吸放湿性を効率的に向上させることができる。
特に、本実施形態では、調湿材保持層１０の各収容セル１１を上記したように難通気性材料により形成しているので、例えば、通気性のあるもので収容セルを形成した場合や、このような収容セルを設けない態様とした場合と比べて、裏面側送風路５から調湿材保持層１０に導入された空気が、調湿材保持層１０の上下方向（両送風路５，６の送風方向と同方向）に沿って通過することを低減でき、ほぼ厚さ方向に沿って通過し、表面側送風路６に導出される。これにより、送風効率を向上させることができるとともに、吸放湿性をより効率的に向上させることができる。
また、調湿材保持層１０の表面側及び裏面側に送風路５，６を設けているので、当該調湿パネル１の表裏において温度差があるような場合にも、パネル内空間における結露の発生を防止することができる。
【００３０】
次に、本発明に係る他の実施の形態について、図面を参照しながら説明する。
図２は、第２実施形態に係る調湿パネル１Ａを模式的に示し、図１に対応させた図である。
尚、第１実施形態との相違点について主に説明し、同様の構成については、同一符号を付し、その説明を省略或いは簡略に説明する。
本実施形態に係る調湿パネル１Ａは、調湿材保持層１０Ａの態様、及び裏面側送風路５Ａの態様が、上記第１実施形態に係る調湿パネル１とは主に異なる。
【００３１】
調湿材保持層１０Ａは、裏面側送風路５Ａが上流側から下流側に向けて徐々に狭まるよう、厚さ寸法が上流側から下流側に向けて徐々に大きく形成されている。つまり、裏面側送風路５Ａの風路幅（パネル厚さ方向に沿う幅）が、上流側から下流側に向けて小さくなるよう構成されている。
本実施形態では、上記第１実施形態と同様、パネル本体９の上下方向及び幅方向に、それぞれ多段に区画された多数の中空筒状の収容セル１１Ａの集合体からなるコア材を芯材とし、この芯材の厚さ寸法を上流側から下流側に向けて徐々に大きく形成している。各収容セル１１Ａには、上記第１実施形態と同様、比較的、密に調湿材１２を充填している。
この調湿材保持層１０Ａの厚さ寸法は、本実施形態では、上流側端部を１５ｍｍ程度とし、下流側端部を３５ｍｍ程度としている。
【００３２】
上記のように構成された調湿パネル１Ａでは、下流側で狭まる裏面側送風路５Ａ自体で大きな圧力損失が生じるとともに、下流側で厚さ寸法の大きい調湿材保持層１０Ａ通過時にも大きな圧力損失が生じ、下流側の圧力損失が飛躍的に大きくなる。
この結果、吸気口２から裏面側送風路５Ａ内に導入された空気は、裏面側送風路５Ａを送風される際に、下流側で偏って調湿材保持層を通過するようなことを上記第１実施形態に係る調湿パネル１に比して大幅に低減することができる。従って、裏面側送風路５Ａを送風される空気は、適度に分散されて調湿材保持層１０Ａを厚さ方向に通過する。つまり、本実施形態では、上流側から下流側に向けて厚さ寸法を大きくした調湿材保持層１０Ａが、裏面側送風路５Ａを送風される空気を適度に分散させて当該調湿材保持層１０Ａを通過させる気流分散手段として機能する。
このような構成により、本実施形態に係る調湿パネル１Ａによれば、調湿材保持層１０Ａにおける裏面側送風路５Ａの送風方向（図例では、上下方向）に沿って、各部を厚さ方向に通過する風量の均一化を図ることができ、室内の空気をより効率的に調湿することができる。
【００３３】
尚、本実施形態では、調湿材保持層の厚さ寸法を、上流側から下流側に向けて徐々に大きく形成した例を示しているが、調湿材保持層の厚さ寸法を、上流側から下流側に向けて階段状に段階的に大きくする態様としてもよい。或いは、これらを組み合わせた態様としてもよい。
また、本実施形態では、裏面側送風路は、下流側端部において、調湿材保持層により狭められて、ほぼ送風路空間がない態様を示しているが、このような態様に限られず、下流側端部において、送風路空間を残すような態様としてもよい。
【００３４】
さらに、本実施形態のように、気流分散手段として、調湿材保持層の厚さ寸法を上流側から下流側に向けて大きくする態様に代えて、調湿材保持層の厚さ寸法を、上記第１実施形態と同様、上下方向に沿って略同厚さのものとし、この調湿材保持層を、背面側に向けて傾斜させて配置することで、裏面側送風路を、上流側から下流側に向けて狭める態様としてもよい。さらには、気流分散手段としては、このような態様に代えて、パネル本体の背板部を、上流側から下流側に向けて裏面側送風路を狭めるように表面側に向けて傾斜させたものとしたり、背板部にこのような傾斜板を付設するような態様としたりしてもよい。
これらの態様によっても、裏面側送風路の下流側における圧力損失を、上流側よりも積極的に増大させることができ、本実施形態に係る調湿パネル１Ａと略同様の効果を奏する。
【００３５】
次に、本発明に係る更に他の実施の形態について、図面を参照しながら説明する。
図３は、第３実施形態に係る調湿パネル１Ｂを模式的に示し、図１に対応させた図である。
尚、第１実施形態との相違点について主に説明し、同様の構成については、同一符号を付し、その説明を省略或いは簡略に説明する。
本実施形態に係る調湿パネル１Ｂは、裏面側送風路５Ｂの態様が、上記第１実施形態に係る調湿パネル１とは主に異なる。
【００３６】
本実施形態では、裏面側送風路５Ｂを上流側から下流側に向けて段階的に狭める邪魔板１４，１４，・・・を、当該裏面側送風路５Ｂの送風方向に沿って間隔を空けて設けている。
これら邪魔板１４は、本実施形態では、当該裏面側送風路５Ｂの上流側端部から下流側端部に向けて、所定寸法の間隔を空けて複数箇所（図例では、７箇所）に設けられており、最上流側の邪魔板１４の幅寸法（パネル厚さ方向に沿う寸法）を、２．０ｍｍ程度、最下流側の邪魔板１４の幅寸法を、８．０ｍｍ程度としている。つまり、これら各邪魔板１４が設けられた部位における裏面側送風路５Ｂの風路幅（パネル厚さ方向に沿う幅）が、上流側から下流側に向けて小さくなるよう構成されている。この邪魔板１４を設ける間隔は、１００ｍｍ〜３００ｍｍ程度としてもよい。また、これら各邪魔板１４の長さ寸法（パネル幅方向に沿う寸法）は、パネル本体９の内方空間の幅方向全体に亘る長さとされている。
これら各邪魔板１４は、調湿材保持層１０の裏面側に接着剤等により固定するようにしてもよく、或いは、パネル本体９の両側板部９ｃ，９ｃ等に固定するようにしてもよい。
【００３７】
上記のように構成された調湿パネル１Ｂでは、裏面側送風路５Ｂが、邪魔板１４によって狭められることで、当該邪魔板１４が、その上流側と下流側とにおいて大きな圧力損失を生じさせる圧力損失発生手段として機能するとともに、当該邪魔板１４が、裏面側送風路５Ｂを送風される空気の一部の気流方向を調湿材保持層１０側に変更する気流分散手段としても機能する。
この結果、吸気口２から裏面側送風路５Ｂ内に導入された空気は、裏面側送風路５Ｂを送風される際に、上記第２実施形態と略同様、下流側で偏って調湿材保持層を通過するようなことを低減することができる。従って、裏面側送風路５Ｂを送風される空気は、適度に分散されて調湿材保持層１０を厚さ方向に通過する。
このような構成により、本実施形態に係る調湿パネル１Ｂによれば、調湿材保持層１０における裏面側送風路５Ｂの送風方向（図例では、上下方向）に沿って、各部を厚さ方向に通過する風量の均一化を図ることができ、室内の空気をより効率的に調湿することができる。
【００３８】
尚、本実施形態では、複数の邪魔板を、裏面側送風路の空間において調湿材保持層側に沿うように設けた例を示しているが、パネル本体の背板部に沿うように設けるようにしてもよい。或いは、裏面側送風路の空間におけるパネル厚さ方向の略中央部に設けるようにしてもよい。
また、本実施形態における邪魔板を、上記第２実施形態に係る調湿パネルの裏面側送風路の適所に設けるようにしてもよい。
【００３９】
次に、本発明に係る更に他の実施の形態について、図面を参照しながら説明する。
図４は、第４実施形態に係る調湿パネル１Ｃを模式的に示し、図１に対応させた図である。
尚、第１実施形態との相違点について主に説明し、同様の構成については、同一符号を付し、その説明を省略或いは簡略に説明する。
本実施形態に係る調湿パネル１Ｃは、調湿材保持層１０Ｂの態様が、上記第１実施形態に係る調湿パネル１とは主に異なる。
【００４０】
調湿材保持層１０Ｂは、各収容セル１１に収容、充填した調湿材の粒径を、上流側から下流側に向けて小さくした構成とされている。
本実施形態では、平均粒径の異なる４種の調湿材１２Ａ，１２Ｂ，１２Ｃ，１２Ｄを採用しており、最上流側の調湿材１２Ａを、５．０ｍｍ程度の平均粒径のものとし、３．０ｍｍ程度の調湿材１２Ｂ、２．０ｍｍ程度の調湿材１２Ｃ、及び１．０ｍｍ程度の調湿材１２Ｄを下流側に向けてこの順に収容、充填している。
【００４１】
上記のように構成された調湿パネル１Ｃでは、調湿材保持層１０Ｂの上流側においては、下流側よりも粒径の大きな調湿材が充填されているので、調湿材間の隙間が大きくなり、下流側よりも通気性が大きくなる。換言すれば、調湿材保持層１０Ｂの下流側においては、上流側よりも粒径の小さな調湿材が充填されているので、調湿材間の隙間が小さくなり、上流側よりも通気性が小さくなる。つまり、当該調湿材保持層１０Ｂが、上流側と下流側とにおいて大きな圧力損失を生じさせる圧力損失発生手段として機能し、下流側の圧力損失が飛躍的に大きくなる。
この結果、吸気口２から裏面側送風路５内に導入された空気は、裏面側送風路５を送風される際に、上記第２実施形態及び第３実施形態と略同様、下流側で偏って調湿材保持層を通過するようなことを低減することができる。従って、裏面側送風路５を送風される空気は、適度に分散されて調湿材保持層１０Ｂを厚さ方向に通過する。つまり、当該調湿材保持層１０Ｂに上記態様で収容された各調湿材１２により気流分散手段を構成している。
このような構成により、本実施形態に係る調湿パネル１Ｃによれば、調湿材保持層１０Ｂにおける裏面側送風路５の送風方向（図例では、上下方向）に沿って、各部を厚さ方向に通過する風量の均一化を図ることができ、室内の空気をより効率的に調湿することができる。
【００４２】
尚、本実施形態では、粒径の異なる４種の調湿材を調湿材保持層に収容した例を示しているが、粒径の異なる複数種の調湿材を、上流側から下流側に向けて、粒径が小さくなるように収容させたものとすればよい。
また、上記第２実施形態及び第３実施形態に係る各調湿パネルにおいて、調湿材保持層に収容させる調湿材を、本実施形態のように、その粒径を上流側から下流側に向けて小さくするようにしてもよい。
さらに、上記第２実施形態乃至第４実施形態において説明した各気流分散手段の態様に代えて、上下方向（各送風路の送風方向と同方向）に多段に区画形成した多数の収容セルへの調湿材の充填率を、下流側から上流側に向けて小さくするようにしてもよい。このような態様によっても、裏面側送風路の下流側における圧力損失を、上流側よりも積極的に増大させることができ、上記第２実施形態乃至第４実施形態に係る各調湿パネルと略同様の効果を奏する。
【００４３】
尚、上記構成とされた各実施形態に係る調湿パネルを取り付け対象に取り付ける際には、他の壁面材や他の調湿パネルの表面と面一状となるように、一部を壁内部に埋め込ませるようにして取り付けるようにしてもよく、または、既設の壁面に付設するようにしてもよい。或いは、間仕切りパネルとして、下端部等に適宜の支持部材等を設けて、室内空間に設置するようにしてもよい。
また、上記各実施形態では、調湿パネルとして、縦長扁平矩形状の縦型パネルを例示したが、横長扁平矩形状のものとしてもよく、また、排気口及び吸気口のそれぞれを図例とは逆側に設けるようにしてもよい。
さらに、調湿パネルの表面に開口させた一対の通気開口部を構成する吸気口と排気口とを上下に離間させて形成した態様を例示しているが、左右に離間させて形成するようにしてもよい。すなわち、当該調湿パネルを横型パネルとして横置きにして設置するような態様にしてもよい。
【００４４】
さらにまた、上記各実施形態では、空気を送風するための送風手段として、クロスフローファンを下側外郭部に設けた例を示しているが、上側外郭部に設けるようにしてもよく、或いは、少なくともいずれか一方の送風路の途中部位に設けるようにしてもよい。
また、クロスフローファンに限られず、シロッコファンや軸流ファン等を送風手段として設けるようにしてもよい。
さらに、上記各実施形態では、吸気口からの空気が導入される第１送風路を裏面側に設け、排気口に向けて空気を送風する第２送風路を表面側に設けた例を示しているが、それぞれを逆側に設けるようにしてもよい。
【００４５】
さらにまた、本実施形態に係る調湿パネルの表面側送風路、調湿材保持層及び裏面側送風路、並びに上下の外郭部等を、パネル幅方向において分割する仕切板を設けるとともに、それぞれに独立駆動可能な送風手段を設け、一方を上記同様の下側吸気、上側排気とし、他方を上側吸気、下側排気とするような態様としてもよい。これによれば、室内空間の温度分布の状況に応じて、いずれかの送風手段を駆動させることで、室内空間の温度差を効率的に減少させることができる。
また、本実施形態では、調湿材保持層を、パネル本体の上下方向及び幅方向に、それぞれ多段に区画された多数の中空筒状の収容セルを有したものとし、この収容セルに調湿材を充填した例を示しているが、上下方向（各送風路の送風方向と同方向）にのみ、多段に区画された多数の収容セルからなるものとしてもよい。或いは、このような多数の収容セルを設けずに、板状の調湿材保持層を構成する態様としてもよい。
【符号の説明】
【００４６】
１，１Ａ，１Ｂ，１Ｃ                  調湿パネル
２                                    吸気口
３                                    排気口
４                                    クロスフローファン（送風手段）
５，５Ａ，５Ｂ                        裏面側送風路（第１送風路）
６                                    表面側送風路（第２送風路）
１０，１０Ａ，１０Ｂ                  調湿材保持層
１１，１１Ａ                          収容セル
１２，１２Ａ，１２Ｂ，１２Ｃ，１２Ｄ  調湿材
１４                                  邪魔板
【図１】
0005426980.tif 000002
【図２】
0005426980.tif 000003
【図３】
0005426980.tif 000004
【図４】
0005426980.tif 000005